(57)【特許請求の範囲】
【請求項１】
振動源を支持し、かつ変形可能となるようなバネ定数を持つ弾性ゴム部材と、流体の流入に伴う容積変化を許容するように弾性変形可能な薄膜部材で形成されたダイヤフラムとを有し、該ゴム部材とダイヤフラムとにより内部に流体を封入するための流体室を形成し、前記ゴム部材とダイヤフラムとの伸縮によって振動を吸収する自動車用エンジンマウントであって、
自動車のエンジン側に接続されるエンジン側接続部材と、
前記自動車の車体側に接続される車体側接続部材と、
前記流体室を前記ゴム部材をその一部とする主室と前記ダイヤフラムをその一部とする副室とに仕切ると共に、該主室と副室を連通するオリフィス通路を有する仕切部材とを備え、
前記主室の上部には、気体を滞留させるための下方に開口部を有する凹部が形成され、
前記凹部には、予め決定された所定量の気体が注入され、
前記凹部内における流体の共振周波数の最小値は、略８０Hz〜５００Hzの範囲に設定されることを特徴とする自動車用エンジンマウント。
【請求項２】
前記共振周波数を設定する手段を更に具備し、前記共振周波数の最小値を車室内の空洞共鳴周波数に略一致するように設定することを特徴とする請求項１に記載の自動車用エンジンマウント。
【請求項３】
前記共振周波数の最小値をエンジンマウント系の有する固有振動数に略一致するように設定することを特徴とする請求項２に記載の自動車用エンジンマウント。
【請求項４】
前記開口部に絞り部を一体的に形成することにより前記共振周波数を設定することを特徴とする請求項１に記載の自動車用エンジンマウント。
【請求項５】
前記絞り部は、前記開口部に円環状のリング部材を装着することにより形成されることを特徴とする請求項４に記載の自動車用エンジンマウント。
【請求項６】
前記開口部付近に上下方向に所定幅だけ移動する可動機構を設けることにより前記共振周波数を設定することを特徴とする請求項１に記載の自動車用エンジンマウント。
【請求項７】
前記可動機構は、薄い金属板又はゴム膜で構成されることを特徴とする請求項６に記載の自動車用エンジンマウント。
【発明の詳細な説明】
【０００１】
【産業上の利用分野】
本発明は、例えば、車両のエンジンマウントとして用いる自動車用エンジンマウントに関するものである。
【０００２】
【従来の技術】
一般的に、エンジンマウントには、支持、防振、制振という３つの機能が必要とされる。支持機能とは、エンジン（パワーユニット）を静的／動的に車体に搭載し、エンジンと車体とが干渉しないように支持する機能である。また、防振機能とは、エンジンの発生する音や振動を車体に伝達させないようにする機能である。更に、制振機能とは、車両の加減速時のエンジン振動や、路面やタイヤからの入力によるエンジン振動（エンジンシェイク）等のエンジンの剛体振動を制限し、車体の振動を防止する機能である。また、これら３つの機能にはトレードオフの関係があり、全てを満足することは不可能である。通常、支持機能については、伝達特性を高く且つ減衰特性を高くする状態が理想的であり、以下、防振機能については、伝達特性を低くし、制振機能については、減衰特性を高くできることが優れたエンジンマウントの条件と言える。通常のラバー型のエンジンマウントは、それらの諸元値を妥協できる範囲の値に設定されている。
【０００３】
近年、車両のエンジンマウント等に用いる自動車用エンジンマウントとして、従来のラバー型エンジンマウントに代わって流体封入型のエンジンマウントが数多く採用されている。この流体封入型のエンジンマウントは、現在まで開発されてきた過程において、その構成の違いから主として第１世代〜第３世代と呼ばれる３種類の型式に分類される。以下に、それらの各構成について説明する。
【０００４】
＜第１世代型＞
第１世代のエンジンマウントは、従来のラバー型エンジンマウントよりも高いレベルで各機能をバランス良く設定するために開発された初期のエンジンマウントであり、図２９に示すように、流体を封入する液室を仕切部材によって２室に仕切り、仕切部材にオリフィスを形成して、エンジンに取付けられた部材１（又は車体に取付けられた部材２）の振動により、オリフィス内を通って流体を移動させるものである。この第１世代の構成では、封入された流体のオリフィス内の移動による流体の共振現象を利用して、低周波の特定領域において減衰特性を高め、高周波領域での伝達特性を小さくすることができる。
【０００５】
図２９において、部材１にＸなる変位を与えたとき、部材２に力Ｆが伝達されたとすると、振動の伝達特性Ｋｔと減衰特性Ｔｄとは図３０に示す式によって表される。これらの式に基づいて、伝達特性Ｋｔと減衰特性Ｔｄとを周波数で表すと図３１、図３２に示すグラフを得ることができる。また、図３１、図３２とは、従来のラバー型と第１世代型との各特性を比較した場合の違いを示している。図３１、図３２に示すように、ラバー型エンジンマウントに比べると伝達、減衰の各特性が著しく向上しているのがわかる。しかしながら、第１世代のエンジンマウントでは、流体室の一部を形成するゴム部材で構成された弾性体には、エンジンを支持する支持剛性（支持バネ、支持減衰）と、流体室の拡張に係わる拡張剛性（拡張バネ、拡張剛性）という２つの働きが必要となる。一般に、流体型エンジンマウントで減衰特性を活かすためには、荷重の大きな部位に配置するのが効果的であるが、荷重の大きな部位に配置するということは、必然的にゴム部材の支持剛性が大きくなって、流体室の拡張剛性が大きくなる。その結果、ａ）伝達特性が大きくなり、騒音や振動が悪化する、ｂ）減衰が極大となる周波数が高くなり、効果的にエンジンを制振できない、という２つの問題点が発生する。
【０００６】
＜第２世代型＞
第２世代のエンジンマウントでは、上記の第１世代の問題点を克服するために、図３３に示すような液室を仕切る仕切部材の一部に弾性部材で形成されたゴム膜を設けて、液室１の拡張剛性を低下させることによって対応した構成としている。この第２世代の構成では、図３４に示すように、高周波領域での伝達特性を第１世代の構成に比べて小さくできることによって、エンジンの騒音や振動の車体への伝達を小さくすることができる。
【０００７】
＜第３世代型＞
また、第３世代のエンジンマウントは、第２世代のエンジンマウントの特性に加えて、特定周波数の伝達特性を特に小さくする特性を付加したものである。一般に、車体やブラケット等の共振現象によって、車両は特定周波数において音や振動が大きくなるという特徴がある。従来では、これらの音や振動はダイナミックダンパ等を用いて対処していた。第３世代のエンジンマウントでは、上記の第２世代の問題点を克服するために、図３５に示すように、第２世代の構成に傘状の部材を設けることによって、高周波の特定周波数領域において、伝達特性を小さくし、車両の騒音を低減するようにした構成を採用している。この第３世代の構成では、図３６に示すように、第２世代の特性に加えて、高周波領域の特定周波数の伝達特性を小さくできることによって、特に問題となる騒音の車体への伝達を小さくすることが可能となる。
【０００８】
以上説明したエンジンマウントの従来技術として、例えば、特開昭６０−１３９５０７号公報に開示されているように、略同心状に配置される内筒及び外筒と、これら内、外筒間に装填される弾性体とを備え、この弾性体内に内筒を境にして対向配置される２つ以上の液体室を形成し、これら各液体室を介して連通するようにした懸架アームを車体に支持する筒状ブッシュにおいて、弾性体内の一部に気体を封入した構成とすることによって、液体室内の液圧変化が、封入された気体の体積変化によって許容されるため、振動入力に対する液体室内のバネ定数を低下させることができ、液柱共振における振動遮断機能の周波数の設定自由度を向上させた筒状ブッシュが提案されている。
【０００９】
【発明が解決しようとする課題】
しかしながら、上記のように構成される各従来例において、特に、第２及び第３世代の構成では、液室を仕切る仕切部材の一部に弾性材料で構成されるゴム膜を形成したり、エンジン側に取付けられる部材に傘状部材を設ける必要があり、製造コストが上がるという問題がある。
【００１０】
また、上述の特開昭６０−１３９５０７号に開示される技術は、一体的な構成の筒状ブッシュであるため、両室を構成する弾性体はバネとして作用するが、オリフィスが目詰まりした場合、一方の液体室のみに気体を封入した構成では、弾性体のバネ定数が高すぎて振動の低減を十分に行うことができないという欠点がある。また、この欠点を回避するために、両室のバネ定数を小さくすることが考えられるが、構造的に両室を夫々異なるバネ定数の弾性体で構成することは困難である。更に、下室にも気体を封入することが考えられるが、この場合、車体への組み付け時や振動等により、一方の液室に封入された気体がオリフィスを介して他方の液室内に流入する恐れがあり、仮にこのような状態になった場合、上記の欠点を解消できず、封入された気体の管理が極めて難しいという問題がある。
【００１１】
従って、本発明の自動車用エンジンマウントは、上記の事情に鑑みてなされたものであり、その目的とするところは、ダイナミックダンパ等の付加機構を設けることなく、特定高周波振動に対する減衰特性を高めて、振動低減効果を向上させることが可能になる自動車用エンジンマウントを提供することである。
また、エアデバイス部の開口部に一体的に絞り部を形成することにより、製造コスト及びマウント重量の低減を図ることができる自動車用エンジンマウントを提供することである。
【００１２】
【課題を解決するための手段】
上述の課題を解決し、目的を達成するために、本発明の自動車用エンジンマウントは以下の構成を備える。即ち、
振動源を支持し、かつ変形可能となるようなバネ定数を持つ弾性ゴム部材と、流体の流入に伴う容積変化を許容するように弾性変形可能な薄膜部材で形成されたダイヤフラムとを有し、該ゴム部材とダイヤフラムとにより内部に流体を封入するための流体室を形成し、前記ゴム部材とダイヤフラムとの伸縮によって振動を吸収する自動車用エンジンマウントであって、自動車のエンジン側に接続されるエンジン側接続部材と、前記自動車の車体側に接続される車体側接続部材と、前記流体室を前記ゴム部材をその一部とする主室と前記ダイヤフラムをその一部とする副室とに仕切ると共に、該主室と副室を連通するオリフィス通路を有する仕切部材とを備え、前記主室の上部には、気体を滞留させるための下方に開口部を有する凹部が形成され、前記凹部には、予め決定された所定量の気体が注入され、前記凹部内における流体の共振周波数の最小値は、略８０Hz〜５００Hzの範囲に設定されることを特徴とする。
【００１３】
また、好ましくは、前記共振周波数を設定する手段を更に具備し、前記共振周波数の最小値を車室内の空洞共鳴周波数に略一致するように設定することを特徴とする。
また、好ましくは、前記共振周波数の最小値をエンジンマウント系の有する固有振動数に略一致するように設定することを特徴とする。
【００１４】
また、好ましくは、前記開口部に絞り部を一体的に形成することにより前記共振周波数を設定することを特徴とする。
また、好ましくは、前記絞り部は、前記開口部に円環状のリング部材を装着することにより形成されることを特徴とする。
また、好ましくは、前記開口部付近に上下方向に所定幅だけ移動する可動機構を設けることにより前記共振周波数を設定することを特徴とする。
【００１５】
また、好ましくは、前記可動機構は、薄い金属板又はゴム膜で構成されることを特徴とする。
【００１６】
【作用】
以上のように、この発明に係わる自動車用エンジンマウントは構成されているので、車両走行時に発生するこもり音等の原因となる振動を低減するようにボトム周波数を５００Hz以下にチューニングすると共に、騒音を感知しにくい８０Hz以上に設定すれば効果的に不快な音を低減することができる。このように、円環状の絞り部等によってエアデバイス部の開口断面の面積を変化させることにより、ボトム周波数を車室内の空洞共鳴周波数やエンジンマウント系から発生する固有振動周波数に一致させて、こもり音等を低減可能な液柱共振周波数に設定できるので、気体の充填量に基づいて振動伝達特性及び減衰特性を任意に設定できると共に、ダイナミックダンパ等の付加機構を設けることなく、特定高周波振動に対する減衰特性を高めて、振動低減効果を向上させることが可能になる。
【００１７】
また、エアデバイス部の開口部に一体的に絞り部を形成することにより、製造コスト及びマウント重量の低減を図ることができる。
【００１８】
【実施例】
以下に本発明の実施例につき、添付の図面を参照して詳細に説明する。
［第１実施例］
図１は、本発明に基づく第１実施例の自動車用エンジンマウントの断面図である。また、図２は、図１の自動車用エンジンマウントの要部を簡略化して示したモデル図である。また、図３は、図１のエンジンマウントの上部の詳細を示す断面図である。図１、図２において、本実施例で用いる自動車用エンジンマウント２００は、エンジンルーム内の所定箇所においてエンジンを支持するエンジンマウントである。エンジンマウント２００は、エンジン側に取付けられる接続部材１と、マウント本体２と、車体側に取付けられる接続部材３とによりその外形を構成している。接続部材１は、その一端部をエンジンにボルト等によって固定すると共に、他端部には、弾性材料で構成された断面円形のゴム部材４を取付けるための固定部５が形成されている。また、固定部５の上部には、薄い円盤状のストッパ６が環着されている。マウント本体２は、円筒形状のカップを逆さまにした形状であり、上部が開口した形状の開口部を備える。また、マウント本体２には、開口部から上部に延設されたフランジ部２ａが形成されている。マウント本体２の下部には、車体のシャシ等に固定するための接続部材３が設けられている。ゴム部材４が取付けられた固定部５は、マウント本体２の開口部の内面にゴム部材４が密着するように嵌合され、固定される。このゴム部材４を取付けることによって、マウント本体２の内部に液室１０が形成される。液室１０は、マウント本体２の内部に設けられた仕切部材７によって、上部液室１０ａと下部液室１０ｂに分割され、夫々に液体Ｌが封入される。また、仕切り部材７には、上部液室１０ａと下部液室１０ｂとの間を連通し、封入された液体Ｌが両液室間を流入及び流出できるように、ら旋状に形成されたオリフィス８が形成されている。また、仕切部材７とマウント本体２の低部との間には、弾性材料（例えば、ゴム等）で構成されたドーム状のダイヤフラム９が設けられ、下部液室１０ｂは、仕切部材７とダイヤフラム９とによって構成される。マウント本体２の低部は大気開放されていて、ダイヤフラム９が液室１０ｂ内の液体Ｌの圧力によって、ある程度伸縮可能なように構成されている。また、上部液室１０ａには、所定量の気体Ｇが封入されている。この気体Ｇは、空気や液室１０に封入された液体Ｌに溶解しにくい特性を有する空気又は不活性ガスや、ヘリウムガス等であり、約０．５〜７ｃｃ程度封入される。この気体の充填量は、エンジンの重量や車種によって、夫々異なるものである。また、エンジンの振動によってこのゴム部材４の変位量が必要以上に大きくなると、マウント本体２に設けられたフランジ部２ａとストッパ６とが当接して、ゴム部材４の変位を抑制する。
【００１９】
本実施例で用いる自動車用エンジンマウント２００は、ゴム部材４を固定する固定部５が上部液室１０ａの一部となり、エア室２０５を構成している。このエア室２０５は、コップの開口部を逆さまに向けたような状態で取付けられ、開口部の断面積はオリフィス８の断面積より大きく、且つ液室１０ａの断面積より小さく形成されている。また、このエア室２０５は、上部に気体Ｇが注入され、液室１０ａとの通路となっている。エア室２０５内の液体と気体とは、特定周波数において、液柱共振するエアデバイス２２０として機能している。
【００２０】
また、図３に示すように、エアデバイス部２２０の開口部には、その断面積が通常より小さくなるように円環状のリング部材２３０が装着されている。
＜実施例での伝達特性＞
上記実施例の構成において、エアデバイス部２２０に封入された気体Ｇは、その気体自身の圧縮特性によって、ゴム部材の変位による液室１０ａの拡張剛性を低くする働きがあり、低周波領域及び高周波領域での伝達特性を小さくしている。しかしながら、車両は、車体やブラケット等の共振現象によって、高周波の特定周波数領域で音や振動が大きくなる特性があり、従来では、ダイナミックダンパ等で対処していた。このダイナミックダンパに代わるものがエアデバイス部２２０である。エアデバイス部２２０内では、注入された気体Ｇの圧縮特性によって、高周波の特定周波数領域で液柱共振現象が発生する。エアデバイス部の通路内の液柱共振周波数は、オリフィス内の液体共振周波数よりも高い値に設定されているので、この液柱共振現象を利用することによって、高周波の特定周波数領域での伝達特性を小さくできるのである。
【００２１】
＜実施例の構成での減衰特性＞
低周波振動では、各液室１０ａ、１０ｂ内に封入された液体Ｌは、ゴム部材４の変位によってオリフィス８を介して上部液室１０ａと下部液室１０ｂとの間を移動するが、ある特定周波数になると、液体Ｌがオリフィス内で共振現象による目詰まりを起こし、各液室間を移動しない状態となる。即ち、オリフィス内の液体共振によって、特定領域のみの減衰を高める働きがある。しかしながら、伝達特性が高くなると減衰が極大値となる周波数が高くなって、エンジンの制振機能に問題が生じる。従って、気体Ｇをエア室２０５に注入し、液柱共振周波数より低い低周波の特定領域での伝達特性を低下させる（即ち、拡張剛性を低くする）ことによって、高い減衰特性が得られ、制振機能が向上するように構成されている。
【００２２】
［その他の実施例］
図４Ａは、本発明に基づくその他の実施例の自動車用エンジンマウントの上部付近の断面図である。また、図４Ｂは、図４Ａの自動車用エンジンマウントの変形例を示す断面図である。図４Ａに示すエンジンマウントは、図３で説明した円環状のリング部材２３０の代わりにエアデバイス部２２０の開口部に絞り部２４０を一体成形したものである。このように一体成形することによりコストダウンを図ることができる。
【００２３】
また、図４Ｂに示すエンジンマウントは、図３で説明した円環状のリング部材２３０の代わりにエアデバイス部２２０の開口部近傍に上下方向に可動する薄い金属板で形成された可動板２５０を設けたものである。
＜流体マウントの原理＞
次に、上記実施例で用いる流体封入式エンジンマウントの原理について説明する。
【００２４】
図５は、本実施例のエンジンマウントのモデル図であり、図６は、図５の等価回路図である。また、図３７は、空気バネのモデル図であり、図３７に示す空気バネのバネ定数ｋは、体積Ｖ０、圧力Ｐ０、断面積Ａとすると、ポリトロープ指数γを用いて、図３８に示す式によって表すことができる。図５、図６及び図３８において、エアデバイス内の流体の質量Ｍｄ及び液室内の流体の質量Ｍｅは、下記に示す式１、２によって表されるので、
Ｍｄ＝ρｂＬ…（１）
Ｍｅ＝ρａｌ…（２）
ρ；流体密度、
Ｌ；エアデバイス部の長さ、
ｌ；オリフィスの長さ、
上記式１、２によって定義される流体質量を用いて、図６の等価回路図では、下記に示す数１の運動方程式が成立する。
【００２５】
【数１】
0003573296.tif 000002
また、数１において、モデル図と等価な質量ＭＤ、ＭＥは、下記式３によって表される。
（式３）
ＭＤ＝（Ａ／ｂ）２ｍｄ
ＭＥ＝（Ａ／ａ）２ｍｅ
また、モデル図と等価な減衰ＣＤ、ＣＥは、下記式４によって表される。
【００２６】
（式４）
ＣＤ＝（Ａ／ｂ）２ｃｄ
ＣＥ＝（Ａ／ａ）２ｃｅ
また、モデル図と等価なバネ定数ＫＤは、図３８によれば、式５によって表される。
【００２７】
ＫＤ＝（Ａ／ｂ）２ｋｄ＝（Ａ／ｂ）２（γＰ０ｂ２／Ｖ０）＝γＰ０Ａ２／Ｖ０  …（５）
また、モデル図における等価な変位量は、式６によって表される。
（式６）
ＹＤ＝（ｂ／Ａ）ｙｄ
ＹＥ＝（ａ／Ａ）ｙｅ
以上の式３〜式６を用いて数１に示す運動方程式をラプラス変換によって解くと、下記に示す数２が成り立つ。
【００２８】
【数２】
0003573296.tif 000003
図７に示すように、図６のモデル図における各パラメータを設定すると、図８、図９に示すような結果が得られる。図８は、本実施例のエンジンマウント２００の伝達特性を示している。また、図９は、減衰特性を示している。尚、図７、図８、図９に示されているＭ０とは、従来の第２世代の構成のエンジンマウントの特性を示している。実施例で説明したように、エアデバイス部２２０に封入された気体Ｇを１ｃｃとすると、エアデバイス部２２０内では、注入された気体Ｇの圧縮特性によって、高周波の特定周波数領域で液柱共振現象が発生する。エアデバイス部の通路内の液柱共振周波数は、オリフィス内の液体共振周波数よりも高い値に設定されているので、この液柱共振現象を利用することによって、高周波の特定周波数領域（図８の４００Ｈｚ付近）での伝達特性を小さくできるのである。また、気体Ｇをエア室２０５に注入し、液柱共振周波数より低い低周波の特定領域での伝達特性を低下させる（図８に示す１０〜２０Ｈｚ付近）ことによって、高い減衰特性が得られ（図９に示す１０〜２０Ｈｚ付近）、制振機能が向上するように構成されている。
【００２９】
＜試験結果＞
次に、前述の自動車用エンジンマウントの試験結果について説明する。尚、エンジンの重量については、車種によって大きな差はないと考え、一般的な重量を基準として説明する。
（振動伝達特性）
図１０は、封入する気体量を０ｃｃ、０．５ｃｃ，１．５ｃｃ、７ｃｃとした場合の周波数に基づく振動伝達特性を示す。また、図１１は、入力される周波数を１００Ｈｚとした場合の封入される気体量に基づく振動伝達特性の変化を示す。図１０において、気体の充填量が０ｃｃの場合には、１０Ｈｚ以上の振動伝達特性が最も高い値を示し、気体の充填量を増加するにつれて振動伝達特性は小さな値になる。これは、液室内に気体を封入する程、外部から入力される振動を吸収し、伝達されにくくなることを意味し、騒音の低減を図ることができる。しかしながら、気体の充填量を増加させる程、減衰特性が低下することになる。図１１に示すように、入力される振動周波数が１００Ｈｚの場合、気体の充填量に基づく振動伝達特性は、充填量を０．５ｃｃから１．５ｃｃに増加すると、振動伝達特性が４００（Ｎ／ｍｍ）から３００（Ｎ／ｍｍ）と約７５％程度低下する。同様に、充填量を０．５ｃｃから３ｃｃに増加すると、振動伝達特性が４００（Ｎ／ｍｍ）から約２７０（Ｎ／ｍｍ）と約６８％程度低下する。更に、７ｃｃにまで増加すると、より振動伝達特性は低下するが、図１１から分かるように、気体の充填量が７ｃｃ以上になると、振動伝達特性は変化しなくなる。なぜならは、７ｃｃ以上の気体を充填量では、自動車用エンジンマウントのゴム部材による支持バネのみの機能を果たしているからである。
【００３０】
（減衰特性）
図１２は、封入する気体量を１ｃｃ〜１０ｃｃとした場合の周波数に基づく減衰特性（Ｔａｎδ）特性を示す。また、図１３は、封入される気体量に基づく減衰特性（Ｔａｎδ）のピーク値の変化を示す。図１２、図１３において、気体の充填量が１ｃｃの場合には、Ｔａｎδ１．４以上の振動減衰特性が得られ、気体の充填量を増加するにつれて振動減衰特性は小さな値になり、充填量が７ｃｃでは、Ｔａｎδ０．３程度になる。これは、液室内に気体を封入する程、外部から入力される振動の減衰特性が低下し、制振機能が低下するが、騒音の低減を図ることができることを意味する。
【００３１】
（拡張バネとの関係）
図１４は、図１０に示すように封入する気体量を０ｃｃ、０．５ｃｃ，１．５ｃｃ、７ｃｃとしたことにより生じる拡張剛性の低下率に基づく振動伝達特性を示す。封入する気体量を０ｃｃ、０．５ｃｃ，１．５ｃｃ、７ｃｃとした場合、拡張バネの拡張剛性低下率は、０％、３０％、５０％、７５％、９５％というように低下する。これは、液室内に気体を封入する程、自動車用エンジンマウントの制振機能が低下し、ゴム部材の弾性係数のみに依存した振動伝達特性に近づいていき、エンジンを支持する支持バネの機能を果たすのみであることを意味する。
【００３２】
以上の試験結果において、気体充填量が０．５ｃｃ以下では振動伝達特性が大きく、気体充填量が７ｃｃ以上では振動伝達特性の変化量が小さくなる。従って、振動伝達特性（騒音）に関しては、封入すべき気体量は、０．５ｃｃ〜７ｃｃが好適な量となる。また、エンジン振動を低減するためには、Ｔａｎδを０．６以上に設定すると効果的であるため、図１３から気体充填量が３ｃｃ以下に設定することが好ましい。従って、封入すべき気体量は、０．５ｃｃ〜３ｃｃがより好適な量となる。
【００３３】
尚、上述の実施例で説明した気体の充填量は、エンジンマウントの設計上の諸元値を図７に示す各値を基準として決定される量であり、例えば、使用環境やエンジン重量の変化に基づいてエアデバイス部や液室の断面積や長さ等を変更した場合には、その設計上の変更に伴って気体の充填量を増減させて、所望の振動伝達特性及び減衰特性が得られるようにチューニングされる。
【００３４】
＜従来技術との比較＞
図１５は、従来例で説明した第２世代のエンジンマウントと本実施例の気体封入式自動車用エンジンマウントとの振動伝達特性を比較した図である。図１５に示すように、第２実施例の流体路内の液柱共振を利用して、気体を封入することにより、所定周波数帯の振動伝達特性を低下させるためのボトム周波数帯を設定し、その周波数帯の振動を低減させることができる。また、気体の充填量や流体路の断面積等のパラメータは、ボトム周波数帯が８０Ｈｚ〜５００Ｈｚになるよう設定する。なぜならば、８０Ｈｚ以下の周波数では人間は騒音を感知しにくいからである。また、エンジンマウントは、一般的にブラケットを介してボルト締結されるが、そのブラケットの共振が５００Ｈｚ以上になると、こもり音として不快な音になる。従って、車両走行時に発生するこもり音等の原因となる振動を低減するようにボトム周波数を５００Ｈｚ以下にチューニングすると共に、騒音を感知しにくい８０Ｈｚ以上に設定すれば効果的に不快な音を低減することができる。具体的には、円環状の絞り部等によってエアデバイス部の開口断面の面積を変化させることにより、ボトム周波数を車室内の空洞共鳴周波数やエンジンマウント系から発生する固有振動周波数に一致させて、こもり音等を低減可能な液柱共振周波数に設定するのである。
【００３５】
また、一般に、流体マウントでは、連通孔（オリフィス）内での液柱共振の発生や流体の粘性抵抗等に影響される外力の振幅や周波数によって流体の流れ方が変化する。例えば、ゆっくりとしたスピードで外力が付与されると、液柱共振や粘性抵抗の影響が小さく、流体は高圧側から低圧側へ移動する。一方、液柱共振周波数よりも高い周波数で外力が付与されると、ほとんど流体がオリフィス内を流れない状態（目詰まりの状態）となる。
【００３６】
従って、本発明の自動車用エンジンマウントと、従来技術例として挙げた特開昭６０−１３９５０７号に開示された構造との異なる点は、ゆっくりとしたスピードで外力を付与した場合、本発明の装置では、液体の流出する側に気体を充填しているのに対し、従来技術では、流体の流入する側に気体を充填している点である。即ち、その構造が根本的に異なっているのである。
【００３７】
これらを性能面から比較すると、流体の流入や流出という現象は、気体室を形成する拡張バネのバネ定数の大きさの違いから生じるものである。即ち、流体は、拡張バネのバネ定数の大きい側から小さい側へ移動すると考えられる。従って、騒音が発生する領域となる高周波領域では、オリフィスは、目詰まりの状態になっているため拡張バネのバネ定数が大きいほど騒音を伝えやすくなる。即ち、本発明の自動車用エンジンマウントでは、拡張バネのバネ定数の大きい側に気体を充填しているため、この大きい側のバネ定数を低下させる（伝達特性を小さく設定する）ことにより大きな騒音低減効果を発揮するのに対し、従来技術に開示された構成では、拡張バネのバネ定数の小さい側に気体を充填しているため、騒音低減効果が小さいものとなるという性能面での違いがある。
【００３８】
＜騒音及び振動の低減性能＞
次に、図１６〜図２０を参照して本実施例の自動車用エンジンマウントを所望の性能に設定するための基準値の設定方法について説明する。図１６は、気体の充填量に基づくエンジン騒音低減評価結果を示す。また、図１７は、気体の充填量に基づくエンジンシェイク振動低減評価結果を示す。更に、図１８は、周波数に基づく拡張バネの振動伝達特性の低下状態を示す。図１９は、拡張バネの振動伝達特性の低下率に基づくエンジン騒音低減評価結果を示す。尚、図２０は、図１６〜図１９に示した各評価結果（点数）に対応する評価基準を示す図である。
【００３９】
（騒音の低減に係わる封入気体量）
図１６に示すように、気体の充填量は、０．５ｃｃで騒音評価５点であり、騒音評価５点とは、図２０を参照すると許容できる限界レベルを意味する。即ち、気体の充填量は、０．５ｃｃ以上で騒音評価５点以上を確保できることになる。また、更に気体の充填量を増加していくと７ｃｃで騒音評価８点（図２０でかなり良いレベル）に達し、それ以上気体を封入しても評価は変わらない。従って、気体の充填量を騒音を低減するという観点から考察すると、０．５ｃｃ以上で騒音の低減に対して効果的であるという結果を得ることができる。
【００４０】
（エンジンの振動低減に係わる封入気体量）
図１７に示すように、気体の充填量は、７ｃｃで振動評価５点であり、８ｃｃで４．５点となり、図１６及び図２０から、気体の充填量は、７ｃｃ以下で振動評価５点以上を確保できることになる。また、気体の充填量が３ｃｃ以下で振動評価７点（図２０で良いレベル）に達し、それ以下では更に振動評価は向上する。従って、気体の充填量をエンジン振動を低減するという観点から考察すると、３ｃｃ以下（図１３よりＴａｎδ０．６以上）でエンジン振動の低減に対して効果的であるという結果を得ることができる。
【００４１】
（エンジン騒音低減に係わる拡張バネの振動伝達特性低下率）
図１９に示すように、拡張バネの振動伝達特性低下率は、５０％以上でエンジン騒音評価６点以上であり、図１９及び図２０から、拡張バネの振動伝達特性低下率が５０％以上になるように気体の充填量を設定することで、エンジン騒音評価６点以上を確保できることになる。また、図１８に示すように、拡張バネの振動伝達特性低下率が５０％以上とは、拡張バネの振動伝達特性が１／２以下となることを意味する。従って、拡張バネの振動伝達特性低下率という観点から考察すると、その振動伝達特性低下率が５０％以上でエンジン騒音の低減に対して効果的であるという結果を得ることができる。
【００４２】
［製造方法］
次に、上記各実施例で説明したエンジンマウントの製造方法を説明する。尚、上記各実施例で説明した部材は、夫々構成部材としてすでに製造されているものとする。以下にその全体的な製造工程を示す。
▲１▼先ず、マウント本体の内部に流体を注入する。
【００４３】
▲２▼マウント本体の内部に混入している不要な空気を遮断又は排出する。
▲３▼予め決定された量の気体をマウント本体の内部に封入する。但し、封入される気体は、空気である。
▲４▼この状態で、マウントを圧縮し、密封する。このようにマウントに圧力を付与することによって、無負荷時での液室内の負圧によって気体を封じ込めておき、エンジン搭載時には液室内部が大気圧となりガスバネとして作用させる。
【００４４】
以下に、▲３▼における気体の封入方法について説明する。
＜第１の製造方法＞
図２１は、本実施例の流体マウントの第１の製造方法として気体の封入方法を示す。図２１において、オリフィス８が形成された仕切部材７に凹部Ｓ１を設け、この凹部Ｓ１の体積を封入する気体の体積に設定し、凹部Ｓ１に連通孔Ｈを形成する。この仕切部材７を逆さにして予め流体を注入されたマウント本体内に組み入れ、その他の部品の組立を行い密封した後、正常な位置に戻す。すると、凹部Ｓ１に封入されていた空気が連通孔Ｈから液室１０ａ内に入り、気体の封入が完了する。
【００４５】
＜第２の製造方法＞
図２２は、本実施例の流体マウントの第２の製造方法として気体の封入方法を示す。図２２において、ダイヤフラム９に凹部Ｓ２を設け、この凹部Ｓ２の体積を封入する気体の体積に設定する。このダイヤフラム９を逆さにして気体が逃げないように、予め流体を注入されたマウント本体内に組み入れ、その他の部品の組立を行い密封した後、正常な位置に戻す。すると、凹部Ｓ２に封入されていた空気が仕切部材７のオリフィス８を通って液室１０ａ内に入り、気体の封入が完了する。
【００４６】
＜第３の製造方法＞
図２３は、本実施例の流体マウントの第３の製造方法として気体の封入方法を示す。図２３において、ダイヤフラム９の組み付け時に、ダイヤフラム９の外周とマウント本体２の内周とを気密シールすることによって気体室Ｓ３を設け、この気体室Ｓ３の体積を封入する気体の体積に設定し、その他の部品の組立を行い密封した後、正常な位置に戻す。すると、気体室Ｓ３に封入されていた空気がオリフィス８から液室１０ａ内に入り、気体の封入が完了する。
【００４７】
＜第４の製造方法＞
図２４は、本実施例の流体マウントの第４の製造方法として気体の封入方法を示す。図２４において、マウント本体の側壁部にエアだまり凹部Ｓ４を設け、このエアだまりＳ４の体積を封入する気体の体積に設定する。また、組立後にエアだまりＳ４が液室１０ａに連通するように仕切部材７の側壁部に連通孔Ｈ２を設ける。この仕切部材７を予め流体を注入されたマウント本体内に組み入れ、その他の部品の組立を行い密封することにより、エアだまりＳ４に封入されていた空気が連通孔Ｈ２から液室１０ａ内に入り、気体の封入が完了する。
【００４８】
＜第５の製造方法＞
本実施例の流体マウントの第５の製造方法として気体の封入方法は、常温又は高温で固体から気体に昇華し、気体から固体又は液体に可逆変化しない物質（例えば、ナフタリン、炭酸ナトリウム等）を部品の組立、密封時に混入させる手法である。
【００４９】
＜第６の製造方法＞
第６の製造方法として気体の封入方法は、流体に溶解しやすい物質（乳糖類のカプセル等）に封入する気体を入れ、部品の組立、密封時に混入させる手法である。
＜第７の製造方法＞
図２５は、本実施例の流体マウントの第７の製造方法として気体の封入方法を示す。図２５において、流体内にてマウント本体に気体を供給するための空気供給機構を設けピストン及びシリンダにより、供給空気量Ｓ５を封入する気体の体積に設定する。このマウント本体に流体中で気体を封入し、その他の部品の組立を行い密封することにより液室１０ａ内への気体の封入が完了する。尚、この第７の製造方法では、シリンダーに不活性ガスのボンベを連結し、封入する気体を不活性ガスとしてもよい。また、ピストン及びシリンダを用いずに、注射器で気体を注入してもよい。
【００５０】
＜第８の製造方法＞
図２６は、本実施例の流体マウントの第８の製造方法として気体の封入方法を示す。図２６において、治具５０１等によって支持することにより、真空引き５００でダイヤフラム９に凹部Ｓ６を設け、この凹部Ｓ６の体積を封入する気体の体積に設定する。このダイヤフラム９を逆さにして気体が逃げないように、予め流体を注入されたマウント本体内に組み入れ、密封した後、真空引き５００を開放し、正常な位置に戻す。すると、凹部Ｓ６に封入されていた空気が仕切部材７のオリフィス８を通って液室１０ａ内に入り、気体の封入が完了する。
【００５１】
＜第９の製造方法＞
図２７は、本実施例の流体マウントの第９の製造方法として気体の封入方法を示す。図２７において、マウントの全てを組み立てた後、ダイヤフラムに注射器５０３を突き差して定量の空気を封入する。この際、ダイヤフラム９の一部（注射器を突き差す部分）を他の部分より厚く形成して、ダイヤフラムからの液漏れを防止する。空気は仕切部材７のオリフィス８を通って液室１０ａ内に入り、気体の封入が完了する。
【００５２】
＜第１０の製造方法＞
図２８は、本実施例の流体マウントの第１０の製造方法として気体の封入方法を示す。図２８において、マウントの全てを組み立てた後、マウント本体の側壁部に注射器５０３を突き差して定量の空気を封入する。その後、封止部材を圧入して側壁部の穴を塞ぐ。尚、上記の気体封入方法において、マウント本体内部に気体を封入した後、Ｔａｎδをチェックし、封入空気量の補正工程を設け、上述の第８〜１０の製造方法を封入空気量の補正工程に用いることもできる。
【００５３】
（実施例の効果）
以上説明のように、気体の充填量に基づいて振動伝達特性及び減衰特性を任意に設定できるため、エンジンの騒音を低減するように振動伝達特性を設定すると共に、高周波振動に対する減衰特性を高めて、振動低減効果を向上させることが可能になる。
【００５４】
特に、ダイナミックダンパ等の付加機構を設けることなく、特定高周波振動に対する減衰特性を高めることが可能になる。
また、エアデバイス部の開口部に一体的に絞り部を形成することにより、製造コスト及びマウント重量の低減を図ることができる。
尚、本発明は、その趣旨を逸脱しない範囲で上記実施例を修正又は変形したものに適用可能である。例えば、本実施例では、液室内に封入する気体として、不活性ガスを用いたが、封入される流体と気体との組み合わせは、互いに溶解しにくいものであれば、不活性ガスに限定されるものではない。
【００５５】
【発明の効果】
以上説明のように、本発明の自動車用エンジンマウントによれば、車両走行時に発生するこもり音等の原因となる振動を低減するようにボトム周波数を５００Hz以下にチューニングすると共に、騒音を感知しにくい８０Hz以上に設定すれば効果的に不快な音を低減することができる。このように、円環状の絞り部等によってエアデバイス部の開口断面の面積を変化させることにより、ボトム周波数を車室内の空洞共鳴周波数やエンジンマウント系から発生する固有振動周波数に一致させて、こもり音等を低減可能な液柱共振周波数に設定できるので、気体の充填量に基づいて振動伝達特性及び減衰特性を任意に設定できると共に、ダイナミックダンパ等の付加機構を設けることなく、特定高周波振動に対する減衰特性を高めて、振動低減効果を向上させることが可能になる。
【００５６】
また、エアデバイス部の開口部に一体的に絞り部を形成することにより、製造コスト及びマウント重量の低減を図ることができる。
【図面の簡単な説明】
【図１】本発明に基づく実施例の自動車用エンジンマウントの断面図である。
【図２】図１の自動車用エンジンマウントの要部を簡略化して示したモデル図である。
【図３】図１のエンジンマウントの上部の詳細を示す断面図である。
【図４Ａ】図１のエンジンマウントの変形例を示す断面図である。
【図４Ｂ】図１のエンジンマウントの変形例を示す断面図である。
【図５】第２実施例のエンジンマウントのモデル図である。
【図６】図５の等価回路図である。
【図７】図６のモデル図における各パラメータの設定例を示す図である。
【図８】図６の仕様での第２実施例のエンジンマウント２００の伝達特性を示す図である。
【図９】図６の仕様での第２実施例のエンジンマウント２００の減衰特性を示す図である。
【図１０】封入する気体量を変化させた場合の周波数に基づく振動伝達特性を示す図である。
【図１１】入力周波数を１００Ｈｚとした場合の封入される空気量に基づく振動伝達特性の変化を示す図である。
【図１２】封入する気体量を変化させた場合の周波数に基づく減衰特性を示す図である。
【図１３】封入される空気量に基づく減衰特性のピーク値の変化を示す図である。
【図１４】封入される空気量を変えることにより生じる拡張剛性の低下率に基づく振動伝達特性を示す図である。
【図１５】従来例のエンジンマウントと本実施例の自動車用エンジンマウントとの振動伝達特性を比較した図である。
【図１６】気体の充填量に基づくエンジン騒音の低減評価結果を示す図である。
【図１７】気体の充填量に基づくエンジン振動の低減評価結果を示す図である。
【図１８】周波数に基づく拡張バネの振動伝達特性の低下状態を示す図である。
【図１９】拡張バネの振動伝達特性の低下率に基づくエンジン騒音低減評価結果を示す図である。
【図２０】図１６〜図１９に示した各評価結果（点数）に対応する評価基準を示す図である。
【図２１】本実施例の流体マウントの第１の製造方法として気体の封入方法を示す図である。
【図２２】本実施例の流体マウントの第２の製造方法として気体の封入方法を示す図である。
【図２３】本実施例の流体マウントの第３の製造方法として気体の封入方法を示す図である。
【図２４】本実施例の流体マウントの第４の製造方法として気体の封入方法を示す図である。
【図２５】本実施例の流体マウントの第５の製造方法として気体の封入方法を示す図である。
【図２６】本実施例の流体マウントの第８の製造方法として気体の封入方法を示す図である。
【図２７】本実施例の流体マウントの第９の製造方法として気体の封入方法を示す図である。
【図２８】本実施例の流体マウントの第１０の製造方法として気体の封入方法を示す図である。
【図２９】第１世代のエンジンマウントの構成を示す断面図である。
【図３０】振動の伝達特性及び減衰特性を定義する図である。
【図３１】第１世代のエンジンマウントの構成による伝達特性を示す図である。
【図３２】第１世代のエンジンマウントの構成による減衰特性を示す図である。
【図３３】第２世代のエンジンマウントの構成を示す断面図である。
【図３４】第２世代のエンジンマウントの構成による伝達特性を示す図である。
【図３５】第３世代のエンジンマウントの構成を示す断面図である。
【図３６】第３世代のエンジンマウントの構成による伝達特性を示す図である。
【図３７】空気バネのモデル図である。
【図３８】図３７に示す空気バネのバネ定数ｋをポリトロープ指数γを用いた式によって表した図である。
【符号の説明】
１…接続部材、２…マウント本体、３…接続部材、４…ゴム部材、５…固定部、６…ストッパ、７…仕切部材、８…オリフィス、９…ダイヤフラム、１０ａ、１０ｂ…液室、２０５…エア室、２２０…エアデバイス部、Ｇ…空気又は不活性ガス、Ｌ…液体。
【図１】
0003573296.tif 000004
【図２】
0003573296.tif 000005
【図３】
0003573296.tif 000006
【図４Ａ】
0003573296.tif 000007
【図４Ｂ】
0003573296.tif 000008
【図５】
0003573296.tif 000009
【図６】
0003573296.tif 000010
【図７】
0003573296.tif 000011
【図８】
0003573296.tif 000012
【図９】
0003573296.tif 000013
【図１０】
0003573296.tif 000014
【図１１】
0003573296.tif 000015
【図１２】
0003573296.tif 000016
【図１３】
0003573296.tif 000017
【図１４】
0003573296.tif 000018
【図１５】
0003573296.tif 000019
【図１６】
0003573296.tif 000020
【図１７】
0003573296.tif 000021
【図１８】
0003573296.tif 000022
【図１９】
0003573296.tif 000023
【図２０】
0003573296.tif 000024
【図２１】
0003573296.tif 000025
【図２２】
0003573296.tif 000026
【図２３】
0003573296.tif 000027
【図２４】
0003573296.tif 000028
【図２５】
0003573296.tif 000029
【図２６】
0003573296.tif 000030
【図２７】
0003573296.tif 000031
【図２８】
0003573296.tif 000032
【図２９】
0003573296.tif 000033
【図３０】
0003573296.tif 000034
【図３１】
0003573296.tif 000035
【図３２】
0003573296.tif 000036
【図３３】
0003573296.tif 000037
【図３４】
0003573296.tif 000038
【図３５】
0003573296.tif 000039
【図３６】
0003573296.tif 000040
【図３７】
0003573296.tif 000041
【図３８】
0003573296.tif 000042